(57)【要約】【課題】特別な係止具を必要せずに、効率的に電線の固定が可能な電気接続箱を提供する。【解決手段】電気部品ブロック２の背面側から導出された複数の電線５を所定の方向に方向付けた状態で、電気部品ブロック２にフレーム３を組み付けることにより、フレーム３の背面側に略Ｕ字状に外側へ湾曲するように形成された電線保持板部１０Ｂと電気部品ブロック２の背面とで電線５を保持する。電気部品ブロック２とフレーム３の装着動作により、簡単に電線５を所定の方向に向けて導出した状態で保持できるようにした。【選択図】図１
2005204478.tif 000002
【特許請求の範囲】
【請求項１】
電線が接続された電気部品ブロックと、前記電気部品ブロックを組み付けるフレームとを備え、前記フレームに電線を集束して配置する電線配置部が形成され、該フレームに前記電気部品ブロックが組み付けられた状態で当該電気部品ブロックと前記電線配置部とで電線が挟持されることを特徴とする電気接続箱。
【請求項２】
請求項１記載の電気接続箱であって、
前記フレームは、前記電気部品ブロックを収納して、該電気部品ブロックから導出される電線の導出面に対向する側に前記電線配置部が一体に形成されていることを特徴とする電気接続箱。
【請求項３】
請求項１又は請求項２に記載された電気接続箱であって、
前記電線配置部は、外側へ向けて略Ｕ字状に湾曲する板体で形成されていることを特徴とする電気接続箱。
【請求項４】
請求項１乃至請求項３のいずれか一項に記載された電気接続箱であって、
前記電気部品ブロックは、リレーが組み込まれたリレーブロックやコネクタが組み込まれたコネクタブロックを含み、前記電気部品ブロックの背面の電線導出面側に、前記電線配置部が位置することを特徴とする電気接続箱。
【発明の詳細な説明】
【技術分野】
【０００１】
本発明は、自動車等に搭載される電気接続箱に関し、さらに詳しくは、電線保持機能を接続箱本体に備える電気接続箱に関する。
【背景技術】
【０００２】
従来、自動車等にはフューズやリレー等を組み込んだ電気接続箱が搭載されている。この電気接続箱には、リレー等に接続された複数本の電線を接続箱本体の内外で集束して留めるために、別体の可撓性バンドを固定したり（例えば、特許文献１参照。）、押さえ板を用いたり（例えば、特許文献２参照。）、コネクタブロックに分岐電線の引出用切欠部を形成したもの（例えば、特許文献３参照。）等が知られている。
【特許文献１】実開昭５５−１７３１９０号公報（第１頁、第１図）
【特許文献２】実開昭５４−１７６８３８号公報（第１頁、第１図）
【特許文献３】実開昭５４−７９４９１号公報（第１頁、第１図）
【発明の開示】
【発明が解決しようとする課題】
【０００３】
しかしながら、上述した従来の技術では、接続箱本体に対して係止具や押さえ板を組み付けるため、接続箱本体側にも係止具や押さえ板を受ける構造を形成する必要があり、成形用の金型の構造が複雑となる問題点があった。
【０００４】
また、従来では、係止具や押さえ板が接続箱本体に対して別体であるため、組立性が悪く作業効率を低下させると共に部品点数が多くなるという問題点があった。
【０００５】
そこで、本発明の目的は、特別な係止具を必要せずに、効率的に電線の固定が可能な電気接続箱を提供することにある。
【課題を解決するための手段】
【０００６】
請求項１記載の発明は、電気接続箱であって、電線が接続された電気部品ブロックと、前記電気部品ブロックを組み付けるフレームとを備え、前記フレームに電線を集束して配置する電線配置部が形成され、該フレームに前記電気部品ブロックが組み付けられた状態で当該電気部品ブロックと前記電線配置部とで電線が挟持されることを特徴としている。
【０００７】
請求項２記載の発明は、請求項１記載の電気接続箱に関するものである。この発明に係る電気接続箱は、前記フレームが、前記電気部品ブロックを収納して、該電気部品ブロックから導出される電線の導出面に対向する側に前記電線配置部が一体に形成されていることを特徴としている。
【０００８】
請求項３記載の発明は、請求項１又は請求項２に記載された電気接続箱に関するものである。この発明に係る電気接続箱は、前記電線配置部が、外側へ向けて略Ｕ字状に湾曲する板体で形成されていることを特徴としている。
【０００９】
請求項４記載の発明は、請求項１乃至請求項３のいずれか一項に記載された電気接続箱に関するものである。この発明に係る電気接続箱は、前記電気部品ブロックが、リレーが組み込まれたリレーブロックやコネクタが組み込まれたコネクタブロックを含み、前記電気部品ブロックの背面の電線導出面側に、前記電線配置部が位置することを特徴としている。
【発明の効果】
【００１０】
この発明によれば、電気接続箱の部品点数を削減できると共に、生産効率及び組立作業性を向上することができる。
【発明を実施するための最良の形態】
【００１１】
次に、図面を参照して、本発明を実施するための最良の形態に係る電気接続箱について詳細に説明する。
【００１２】
［第１の実施の形態］
図１及び図２は、本発明の第１の実施の形態に係る電気接続箱を示している。なお、図１は電気接続箱１を正面側から見た斜視図であり、図２は電気接続箱１を背面側から見た斜視図である。
【００１３】
本実施の形態に係る電気接続箱１は、例えばリレーブロックやコネクタブロック等でなる電気部品ブロック２と、この電気部品ブロック２の外側に組み付けられるフレーム３と、から大略構成されている。
【００１４】
電気部品ブロック２は、図２に示すように、複数の空間４Ａ、４Ｂ、４Ｃ等が仕切られており、これら空間４Ａ、４Ｂ、４Ｃ等の内部に配置された図示しない接続端子に電線５がそれぞれ接続されている。図１及び図２に示すように、電気部品ブロック２の背面側からこれら複数の電線５が導出されている。また、電気部品ブロック２の正面側には、例えばリレーブロックやコネクタブロック等の機能ブロックに応じてフード部６Ａ、６Ｂ、６Ｃ、６Ｄ等が形成されている。
【００１５】
フレーム３は、上述の電気部品ブロック２の３つの側面（正面とほぼ直角をなす周面）をそれぞれ覆う側板７、８、９を備えている。これら３つの側板７、８、９は、正面形状が略コ字状となり、正面と背面は開放されている。
【００１６】
また、側板７と側板９における側板８から離れた位置の背面側の端縁同士には、電線配置部としての電線配置板１０が架設されている。この電線配置板１０は、ブロック係当板部１０Ａと、電線保持板部１０Ｂとを備えている。ブロック係当板部１０Ａは、電気部品ブロック２に組み付けた際に電気部品ブロック２の背面に当接するように、側板７、９の端縁からこれら側板７、９に直角をなすように延在されている。
【００１７】
電線保持板部１０Ｂは、背面外側へ向けて略Ｕ字状に湾曲するように形成されている。このため、電線保持板部１０Ｂは、フレーム３を電気部品ブロック２に組み付けた際に電気部品ブロック２の背面との間に電線５を集束した状態で保持すると共に電線５の束の方向付けを行う機能を有する。この電線保持板部１０Ｂと電気部品ブロック２の背面とのクリアランスは、電線５の太さや本数に応じて適宜設定されている。
【００１８】
このような電線配置板１０を含む構造のフレーム３は、絶縁性樹脂で一体成形されている。図１及び図２に示すように、フレーム３は、三方が略コ字状をなす３つの側板７、８、９で形成されているため、成型時において、フレーム３の開放された一方となる面側から図１及び図２で示す矢印Ａの外側方向に抜き型を抜き取ることができる。このとき、電線配置板１０は、型抜き方向に板面が沿って配置されているため、抜き型の抜き取りの支障となることはない。
【００１９】
以上、電気接続箱１の構成について説明したが、次に、電気接続箱１を構成する電気部品ブロック２とフレーム３との組み付け手順について簡単に説明する。
【００２０】
先ず、電気部品ブロック２の空間４Ａ、４Ｂ、４Ｃ等の内部に配置された図示しない接続端子に電線５を接続して、電線５を電気部品ブロック２の背面側から導出する。
【００２１】
次に、複数の電線５を束ね、電気部品ブロック２の背面における、フレーム３の電線保持板部１０Ｂと対面する領域に方向付けする。
【００２２】
そして、電気部品ブロック２にフレーム３を組み付ける。このとき、フレーム３は、電気部品ブロック２の背面に配置した複数の電線５を拾うように組み付けるだけでよい。この組み付けは、電気部品ブロック２がフレーム３に対して、図１及び図２の矢印Ａ方向に引き出しを閉じるように挿入すればよい。
【００２３】
その後、電気部品ブロック２とフレーム３とを図示しない係合手段で係合・固定することにより電気接続箱１の組み立てが完了する。
【００２４】
本実施の形態に係る電気接続箱１によれば、特別なクリップ等の電線保持手段を必要とせず、電気部品ブロック２とフレーム３の２点の部品だけで構成することができる。このため、電気接続箱１の部品点数を削減することができる。
【００２５】
また、電線配置部を板状の電線配置板１０としたことにより、複数の電線５を覆うカバー部材を別途設ける必要がないため、構造を単純化できる。このため、型構造も簡単にすることができ、コンパクトで低コストな電気接続箱を実現することができる。
【００２６】
さらに、本実施の形態に係る電気接続箱１によれば、リレーブロックやコネクタブロック等でなる電気部品ブロック２にフレーム３を装着するだけで、電線５の挟持・固定ができるため、作業性を向上できる。
【００２７】
［第２の実施の形態］
次に、本発明の第２の実施の形態に係る電気接続箱２０について図３及び図４を用いて説明する。本実施の形態の電気接続箱２０は、上記した第１の実施の形態と同様に、例えばリレーブロック２１Ａ、２１Ｂ、２１Ｃやコネクタブロック２１Ｄ、２１Ｅ等を含んでなる電気部品ブロック２１と、この電気部品ブロック２１の外側に組み付けられるフレーム２２と、から大略構成されている。
【００２８】
電気部品ブロック２１は、図４に示すように、複数の空間２３Ａ、２３Ｂ、２３Ｃ等が仕切られており、これら空間２３Ａ、２３Ｂ、２３Ｃ等の内部に配置された図示しない接続端子に電線５がそれぞれ接続されている。図３及び図４に示すように、電気部品ブロック２１の背面側からこれら複数の電線５が導出されている。
【００２９】
フレーム２２は、上述の電気部品ブロック２１の４つの側面をそれぞれ覆う側板２３、２４、２５、２６を備えている。これら４つの側板２３〜２６のうち側板２６だけは、２つの部分に分離されて間の部分が開放されている。この開放された部分は、複数の電線５を導出する部分となる。
【００３０】
また、側板２３と側板２５における側板２４から離れた位置の背面側の端縁同士には、電線配置部としての電線配置板２７が架設されている。この電線配置板２７は、ブロック係当板部２７Ａと、２つの電線保持板部２７Ｂ、２７Ｃとを備えている。ブロック係当板部２７Ａは、電気部品ブロック２１に組み付けた際に電気部品ブロック２１の背面に当接するように、側板２５の端縁からこの側板２５に直角をなすように延在されている。
【００３１】
電線保持板部２７Ｂ、２７Ｃは、それぞれ背面外側へ向けて略Ｕ字状に湾曲するように形成されている。このため、電線保持板部２７Ｂ、２７Ｃは、フレーム２２を電気部品ブロック２１に組み付けた際に電気部品ブロック２１の背面との間に電線５を集束した状態で保持すると共に電線５の束の方向付けを行う機能を有する。この電線保持板部２７Ｂ、２７Ｃと電気部品ブロック２の背面との最大クリアランスは、電線５の太さや本数に応じて適宜設定されている。
【００３２】
以上、電気接続箱２０の構成について説明したが、次に、電気接続箱２０を構成する電気部品ブロック２１とフレーム２２との組み付け手順について簡単に説明する。
【００３３】
先ず、電気部品ブロック２１の空間２３Ａ、２３Ｂ、２３Ｃ等の内部に配置された図示しない接続端子に電線５を接続して、電線５を電気部品ブロック２１の背面側から導出する。
【００３４】
次に、複数の電線５を束ね、電気部品ブロック２１の背面における、フレーム２２の電線保持板部２７Ｂ、２７と対面する領域に方向付けする。
【００３５】
そして、電気部品ブロック２１にフレーム２２を組み付ける。このとき、フレーム２２は、電気部品ブロック２の背面に配置した複数の電線５を拾うように組み付けるだけでよい。この組み付けは、電気部品ブロック２１がフレーム２２に対して、図１及び図２の矢印方向Ｂの方向から挿入すればよい。
【００３６】
その後、電気部品ブロック２１とフレーム２２とを図示しない係合手段で係合・固定することにより電気接続箱２０の組み立てが完了する。
【００３７】
本実施の形態に係る電気接続箱２０においても、特別なクリップ等の電線保持手段を必要とせず、電気部品ブロック２１とフレーム２２の２点の部品だけで構成することができる。このため、電気接続箱２０の部品点数を削減することができる。
【００３８】
また、電線配置部を板状の電線配置板２７としたことにより、複数の電線５を覆うカバー部材を別途設ける必要がないため、構造を単純化できる。このため、型構造も簡単にすることができ、低コスト化することができる。
【００３９】
さらに、本実施の形態に係る電気接続箱２０によれば、リレーブロック２１Ａ、２１Ｂ、２１Ｃやコネクタブロック２１Ｄ、２１Ｅ等でなる電気部品ブロック２１にフレーム２２を装着するだけで、電線５の挟持・固定ができるため、作業性を向上できる。
【００４０】
特に、本実施の形態では、電線配置板２７が２つの電線保持板部２７Ｂ、２７Ｃを備えるため、電線５の種類や数に応じて区分けすることができると共に、電線の保持強度を向上することができる。
【００４１】
以上、第１及び第２の実施の形態について説明したが、本発明にこれらに限定されるものではなく、構成の要旨に付
随する各種の変更が可能である。
【００４２】
例えば、上述の第１及び第２の実施の形態では、フレーム３、２２の背面が開放された構造であるが、閉塞された構造としてよい。
【産業上の利用可能性】
【００４３】
本発明は、自動車等の電気接続箱の製造分野で利用することができる。
【図面の簡単な説明】
【００４４】
【図１】本発明の第１の実施の形態に係る電気接続箱の正面側を示す斜視図である。
【図２】本発明の第１の実施の形態に係る電気接続箱の背面側を示す斜視図である。
【図３】本発明の第２の実施の形態に係る電気接続箱の正面側を示す斜視図である。
【図４】本発明の第２の実施の形態に係る電気接続箱の背面側を示す斜視図である。
【符号の説明】
【００４５】
１……電気接続箱
２……電気部品ブロック
３……フレーム
５……電線
１０……電線配置板
１０Ｂ……電線保持板部
【図１】
2005204478.tif 000003
【図２】
2005204478.tif 000004
【図３】
2005204478.tif 000005
【図４】
2005204478.tif 000006